【手続補正書】
【提出日】平成30年3月28日(2018.3.28)
【手続補正１】
【補正対象書類名】明細書
【補正対象項目名】００３２
【補正方法】変更
【補正の内容】
【００３２】
特定の実施形態について説明してきたが、これらの実施形態は単なる例示として提示されたものであり、本開示の範囲を限定するものではない。実際、本明細書に記載の新規の方法、装置、及びシステムは、様々な他の形態で具現化することができる。さらに本開示の主旨から逸脱することなく、本明細書に記載された方法、装置、及びシステムの形態における様々な省略、置換、及び変更を行うことができる。添付の特許請求の範囲、及びそれらの均等物は、本開示の範囲、及び主旨に含まれるような、形態、又は変更を包含することを意図する。
本明細書に開示される発明は以下の態様を含む。
＜態様１＞
基部に対して第１角度で傾斜した第１側壁と、基部に対して第２角度で傾斜した第２側壁と、を含み、前記第１側壁と前記第２側壁との間に中空部を形成する基部と、
前記第１側壁、及び前記第２側壁の上側から、それぞれ前記中空部から離れる方向に突出する第１外側フランジ、及び第２外側フランジと、
前記第１側壁の上側から前記中空部内に突出する第１内側フランジと、
を備えるクロスメンバであって、
前記基部、前記第１側壁及び前記第２側壁、前記第１外側フランジ及び前記第２外側フランジ、並びに前記第１内側フランジは、開断面を形成する、
クロスメンバ。
＜態様２＞
前記第２側壁から前記中空部内に突出して、対称断面を形成する第２内側フランジをさらに備える、
態様１に記載のクロスメンバ。
＜態様３＞
前記第１内側フランジは、前記第１外側フランジに取り付けられた床との接触を避けるために、前記第１外側フランジから前記基部に向かってずらされている、
態様１に記載のクロスメンバ。
＜態様４＞
前記第２内側フランジは、前記第２外側フランジに取り付けられた床との接触を避けるために、前記第２外側フランジから前記基部に向かってずらされている、態様２に記載のクロスメンバ。
＜態様５＞
前記第１外側フランジは、前記第１内側フランジに取り付けられた床との接触を避けるために、前記第１内側フランジから前記基部に向かってずらされている、
態様１に記載のクロスメンバ。
＜態様６＞
前記第２外側フランジは、前記第２内側フランジに取り付けられた床との接触を避けるために、前記第２内側フランジから前記基部に向かってずらされている、
態様２に記載のクロスメンバ。
＜態様７＞
前記第１内側フランジ、及び前記第２内側フランジは、前記中空部内に外部構成部品を設置することができるように、空隙によって分離されている、
態様２に記載のクロスメンバ。
＜態様８＞
前記第１側壁、及び前記第２側壁は、前記基部の厚さよりも薄い厚さを有する、
態様１に記載のクロスメンバ。
＜態様９＞
前記第１角度、及び前記第２角度は、０°よりも大きく、９０°よりも小さい、
態様１に記載のクロスメンバ。
＜態様１０＞
基部に対して第１角度で傾斜した第１側壁と、基部に対して第２角度で傾斜した第２側壁と、を含み、前記第１側壁と前記第２側壁との間に中空部を形成する基部と、
前記第１側壁、及び前記第２側壁の上側から、それぞれ前記中空部から離れる方向に突出する第１外側フランジ、及び第２外側フランジと、
前記中空部から離れる方向にそれぞれ形成されて、基部から突出する第３外側フランジ、及び第４外側フランジと、
前記第１側壁の上側から前記中空部内に突出する第１内側フランジと、
を備えるクロスメンバであって、
前記基部、前記第１側壁及び前記第２側壁、前記第１外側フランジ及び前記第２外側フランジ、前記第３外側フランジ及び前記第４外側フランジ、並びに前記第１内側フランジは、開断面を形成する、
クロスメンバ。
＜態様１１＞
前記第２側壁から前記中空部内に突出して、対称断面を形成する第２内側フランジをさらに備える、
態様１０に記載のクロスメンバ。
＜態様１２＞
前記第１内側フランジは、前記第１外側フランジに取り付けられた床との接触を避けるために、前記第１外側フランジから前記基部に向かってずらされている、
態様１０に記載のクロスメンバ。
＜態様１３＞
前記第２内側フランジは、前記第２外側フランジに取り付けられた床との接触を避けるために、前記第２外側フランジから前記基部に向かってずらされている、
態様１１に記載のクロスメンバ。
＜態様１４＞
前記第１外側フランジは、前記第１内側フランジに取り付けられた床との接触を避けるために、前記第１内側フランジから前記基部に向かってずらされている、
態様１０に記載のクロスメンバ。
＜態様１５＞
前記第２外側フランジは、前記第２内側フランジに取り付けられた床との接触を避けるために、前記第２内側フランジから前記基部に向かってずらされている、
態様１１に記載のクロスメンバ。
＜態様１６＞
前記第１内側フランジ、及び前記第２内側フランジは、前記中空部内に外部構成部品を設置することができるように、空隙によって分離されている、
態様１１に記載のクロスメンバ。
＜態様１７＞
前記第１側壁、及び前記第２側壁は、前記基部の厚さよりも薄い厚さを有する、
態様１０に記載のクロスメンバ。
＜態様１８＞
前記第１角度、及び前記第２角度は、０°よりも大きく、９０°よりも小さい、
態様１０に記載のクロスメンバ。
＜態様１９＞
基部に対して第１角度で傾斜した第１側壁と、基部に対して第２角度で傾斜した第２側壁と、を含み、前記第１側壁と前記第２側壁との間に中空部を形成する基部と、
前記基部から、それぞれ前記中空部から離れる方向に突出する第１外側フランジ、及び第２外側フランジと、
前記第１側壁、及び前記第２側壁の上側からそれぞれ前記中空部内に突出する第１内側フランジ、及び第２内側フランジと、
を備えるクロスメンバであって、
前記基部、前記第１側壁及び前記第２側壁、前記第１外側フランジ及び前記第２外側フランジ、並びに前記第１内側フランジ及び前記第２内側フランジは、開断面を形成する、
クロスメンバ。
＜態様２０＞
前記第１内側フランジ、及び前記第２内側フランジに取り付けられた床をさらに備える、
態様１９に記載のクロスメンバ。
【手続補正２】
【補正対象書類名】特許請求の範囲
【補正対象項目名】全文
【補正方法】変更
【補正の内容】
【特許請求の範囲】
【請求項１】
基部に対して第１角度で傾斜した第１側壁と、基部に対して第２角度で傾斜した第２側壁と、を含み、前記第１側壁と前記第２側壁との間に中空部を形成する基部と、
前記第１側壁、及び前記第２側壁の上側から、それぞれ前記中空部から離れる方向に突出する第１外側フランジ、及び第２外側フランジと、
前記第１側壁の上側から前記中空部内に突出する第１内側フランジと、
を備えるクロスメンバであって、
前記基部、前記第１側壁及び前記第２側壁、前記第１外側フランジ及び前記第２外側フランジ、並びに前記第１内側フランジは、開断面を形成し、
前記第１内側フランジは、前記第１外側フランジに取り付けられた床との接触を避けるために、前記第１外側フランジから前記基部に向かってずらされている、
クロスメンバ。
【請求項２】
前記第２側壁から前記中空部内に突出して、対称断面を形成する第２内側フランジをさらに備える、
請求項１に記載のクロスメンバ。
【請求項３】
前記第２内側フランジは、前記第２外側フランジに取り付けられた床との接触を避けるために、前記第２外側フランジから前記基部に向かってずらされている、
請求項２に記載のクロスメンバ。
【請求項４】
基部に対して第１角度で傾斜した第１側壁と、基部に対して第２角度で傾斜した第２側壁と、を含み、前記第１側壁と前記第２側壁との間に中空部を形成する基部と、
前記第１側壁、及び前記第２側壁の上側から、それぞれ前記中空部から離れる方向に突出する第１外側フランジ、及び第２外側フランジと、
前記第１側壁の上側から前記中空部内に突出する第１内側フランジと、
を備えるクロスメンバであって、
前記基部、前記第１側壁及び前記第２側壁、前記第１外側フランジ及び前記第２外側フランジ、並びに前記第１内側フランジは、開断面を形成し、
前記第１外側フランジは、前記第１内側フランジに取り付けられた床との接触を避けるために、前記第１内側フランジから前記基部に向かってずらされている、
クロスメンバ。
【請求項５】
前記第２外側フランジは、前記第２内側フランジに取り付けられた床との接触を避けるために、前記第２内側フランジから前記基部に向かってずらされている、
請求項２に記載のクロスメンバ。
【請求項６】
前記第１内側フランジ、及び前記第２内側フランジは、前記中空部内に外部構成部品を設置することができるように、空隙によって分離されている、
請求項２に記載のクロスメンバ。
【請求項７】
基部に対して第１角度で傾斜した第１側壁と、基部に対して第２角度で傾斜した第２側壁と、を含み、前記第１側壁と前記第２側壁との間に中空部を形成する基部と、
前記第１側壁、及び前記第２側壁の上側から、それぞれ前記中空部から離れる方向に突出する第１外側フランジ、及び第２外側フランジと、
前記第１側壁の上側から前記中空部内に突出する第１内側フランジと、
を備えるクロスメンバであって、
前記基部、前記第１側壁及び前記第２側壁、前記第１外側フランジ及び前記第２外側フランジ、並びに前記第１内側フランジは、開断面を形成し、
前記第１側壁、及び前記第２側壁は、前記基部の厚さよりも薄い厚さを有する、
クロスメンバ。
【請求項８】
前記第１角度、及び前記第２角度は、０°よりも大きく、９０°よりも小さい、
請求項１に記載のクロスメンバ。
【請求項９】
前記第２側壁から前記中空部内に突出して、対称断面を形成する第２内側フランジをさらに備える、
請求項４に記載のクロスメンバ。
【請求項１０】
前記第２内側フランジは、前記第２外側フランジに取り付けられた床との接触を避けるために、前記第２外側フランジから前記基部に向かってずらされている、
請求項９に記載のクロスメンバ。
【請求項１１】
前記第２外側フランジは、前記第２内側フランジに取り付けられた床との接触を避けるために、前記第２内側フランジから前記基部に向かってずらされている、
請求項９に記載のクロスメンバ。
【請求項１２】
前記第１内側フランジ、及び前記第２内側フランジは、前記中空部内に外部構成部品を設置することができるように、空隙によって分離されている、
請求項９に記載のクロスメンバ。
【請求項１３】
前記第１角度、及び前記第２角度は、０°よりも大きく、９０°よりも小さい、
請求項４に記載のクロスメンバ。
【請求項１４】
前記第２側壁から前記中空部内に突出して、対称断面を形成する第２内側フランジをさらに備える、
請求項７に記載のクロスメンバ。
【請求項１５】
前記第２内側フランジは、前記第２外側フランジに取り付けられた床との接触を避けるために、前記第２外側フランジから前記基部に向かってずらされている、
請求項１４に記載のクロスメンバ。
【請求項１６】
前記第２外側フランジは、前記第２内側フランジに取り付けられた床との接触を避けるために、前記第２内側フランジから前記基部に向かってずらされている、
請求項１４に記載のクロスメンバ。
【請求項１７】
前記第１内側フランジ、及び前記第２内側フランジは、前記中空部内に外部構成部品を設置することができるように、空隙によって分離されている、
請求項１４に記載のクロスメンバ。
【請求項１８】
前記第１角度、及び前記第２角度は、０°よりも大きく、９０°よりも小さい、
請求項７に記載のクロスメンバ。
【請求項１９】
前記第１内側フランジは、前記第１外側フランジに取り付けられた床との接触を避けるために、前記第１外側フランジから前記基部に向かってずらされている、
請求項７に記載のクロスメンバ。
【請求項２０】
前記第１外側フランジは、前記第１内側フランジに取り付けられた床との接触を避けるために、前記第１内側フランジから前記基部に向かってずらされている、
請求項７に記載のクロスメンバ。